(57)【要約】【課題】パチンコ遊技機、スロットマシーン、パチスロ遊技機、或いは各種のゲーム機等を多数設置した遊技施設内で遊技台群の端部側通路を歩く入場者から見ても容易に案内やお知らせを表示した表示板を見ることのできる遊技台用の椅子に取り付ける表示具を提供する。【解決手段】遊技施設で各遊技台１を使用する遊技者の座る椅子２の背凭れ３に取り付けて空席表示などの案内やお知らせを表示する表示具１０は、背凭れ３に取り付ける装着体１１、及び表示板１７を取り付ける保持体１８を備え、装着体１１と保持体１８とは連結機構部２３により連結されている。連結機構部２３は、保持体１８を装着体１１の第１柄部分１５に対しその延長方向に延びる軸線を回転中心として回転可能にする回転機構２６と、保持体１８を装着体１１の第１柄部分１５に対しその軸線に直交する方向に屈曲可能にする屈曲機構２７とを備えている。【選択図】図２
2009039328.tif 000002
【特許請求の範囲】
【請求項１】
多数の遊技台を配列した遊技施設で前記各遊技台を使用する遊技者の座る椅子の背凭れに取り付けて案内やお知らせを表示する表示具において、
前記椅子の背凭れの一部を装着口に差し込んで着脱自在に取り付け可能な装着部本体及び前記装着口とは反対方向に前記装着部本体から延びる支持部とを備える装着体と、案内やお知らせを表示した表示板と、この表示板を着脱自在に保持する保持体と、前記装着体と前記保持体とを連結する連結機構部とから構成され、
前記連結機構部は、前記保持体を前記装着体の前記支持部に対しその延長方向に延びる軸線を回転中心として回転可能にする回転機構と、前記保持体を前記装着体の前記支持部に対し前記軸線に直交する方向に屈曲可能にする屈曲機構とを備え、
前記表示具を前記椅子の前記背凭れに取り付けたとき、前記表示板の向きを前記連結機構部の前記回転機構で調整し、前記椅子に前記遊技者が座って前記遊技台を使用するときには前記表示板を前記屈曲機構で屈曲させて前記背凭れの背部に倒すか、前記背凭れから前記装着体を外して前記表示具を前記椅子から取り除くことを特徴とする遊技台用の椅子に取り付ける表示具。
【請求項２】
前記連結機構部が軸状部材を備え、前記回転機構が、前記保持体に一端を枢着した断面ほぼ円形のロッドと、前記軸状部材の一端に形成され、前記ロッドの他端を差し入れ可能な挿入孔とで構成され、前記連結機構部の前記屈曲機構が、前記ロッドの前記一端を前記保持体に枢着した枢着部で構成され、前記軸状部材の他端が、前記装着部本体から延びる前記支持部に接続されている請求項１に記載の遊技台用の椅子に取り付ける表示具。
【請求項３】
前記連結機構部が軸状部材を備え、前記回転機構が、前記保持体に一端を枢着した断面ほぼ円形のロッドと、前記軸状部材の一端に形成され、前記ロッドの他端を差し入れ可能な挿入孔と、前記ロッドを前記軸状部材から引き出したとき複数の位置で停止して前記軸状部材からの該ロッドの引き出し長さを調整する調整手段とで構成され、前記連結機構部の前記屈曲機構が、前記ロッドの前記一端を前記保持体に枢着した枢着部で構成され、前記軸状部材の他端が、前記装着部本体から延びる前記支持部に接続されている請求項１に記載の遊技台用の椅子に取り付ける表示具。
【請求項４】
前記装着体の前記装着部本体が、２つの第１挟持片をそれらの一端部側に設けた支点で前記装着口となる他端部を開閉可能に組み合わせて構成され、前記装着体の前記支持部が、前記各第１挟持片の少なくとも一方から前記他端部とは反対方向に前記一端部を越えて延びる第１柄部分で構成されている請求項１〜３のいずれかに記載の遊技台用の椅子に取り付ける表示具。
【請求項５】
前記表示板を保持する前記保持体が、２つの第２挟持片をそれらの一端部側に設けた支点で他端部を開閉可能に組み合わせて構成されたクリップである請求項１〜４のいずれかに記載の遊技台用の椅子に取り付ける表示具。
【発明の詳細な説明】
【技術分野】
【０００１】
本発明は、遊技台用の椅子に取り付ける表示具に関し、更に詳細には、例えば、パチンコ遊技機、スロットマシーン、パチスロ遊技機、或いは各種のゲーム機などを多数設置した遊技施設内において、各遊技台に対応する椅子の背凭れに取り付けて案内やお知らせを表示する表示具に関する。
【背景技術】
【０００２】
パチンコ遊技機、スロットマシーン、パチスロ遊技機などを多数設置している遊技施設では、一般に、多数の遊技機を横方向に並べ、その列における各遊技機の背面側にも多数の遊技機（台）を並べて１つの遊技台群（一般に、このように設置された遊技台群を「島」と呼んでいる）を形成し、このような「島」、即ち遊技台群をほぼ並行に複数並べて店内に配置している。遊技施設への入場者は、遊技台群の端部側にレイアウトされた比較的に幅広の通路を歩きながらそれぞれ遊技台群における空き遊技台を探すことになるが、入場者は、遊技台群の端部側から遊技台群を斜め方向に見るため、通路を歩く入場者から見て遊技台群の中程から奥方向は、手前に居る遊技者の身体に隠れて見え難く、空いている遊技台のあることを確認できないまま素通りしてしまうことがあった。
【０００３】
このような遊技施設では、各遊技台の稼働率を上げることが重要で、空いている遊技台を探している入場者が居るにもかかわらず、見つけることができない状態が続くことは稼働率を下げる結果となって好ましくない。ところで、特許文献１では、各遊技台に対応する椅子（遊技台用椅子）の背凭れに椅子カバーを付け、この椅子カバーに、ＬＥＤ，ＬＣＤ等の面状に構成された電光表示装置を設けて椅子の背面側で視覚的な演出を行うことができるようにした遊技場用椅子カバーを提案している。この特許文献１に開示された遊技場用椅子カバーは、遊技台が空いていることを知らせる表示を行うものではなく、あくまで遊技台に連動して視覚的な演出表示を行うものであるが、この遊技場用椅子カバーを利用すれば、遊技台が空いていることを表示することもできる。
【特許文献１】特開２００６−１３６５９３号公報
【発明の開示】
【発明が解決しようとする課題】
【０００４】
しかし、特許文献１に開示された遊技場用椅子カバーは、各遊技台用椅子の背凭れに被せて使用するものであるため、遊技台群の端部側通路を歩いている入場者から見たときに空いている遊技台の手前、すなわち空いている遊技台に隣接する遊技台用椅子に遊技者が座っている場合には、遊技台群の端部側通路を歩いている入場者からは手前の遊技台用椅子に座っている遊技者に隠れて該カバーが見え難く、その遊技台が空いていることに気づかず、通り過ぎてしまうので、このような遊技場用椅子カバーを利用して、遊技台が空いていることを知らせるようにしてもその効果はほとんど期待できない。
【０００５】
本発明の目的は、かかる従来の問題点を解決するためになされたもので、例えば、パチンコ遊技機、スロットマシーン、パチスロ遊技機、或いは各種のゲーム機などを多数設置した遊技施設内において、遊技台群の端部側通路を歩いている入場者から見て各遊技台に関する情報表示を容易に視認できるような遊技台用の椅子に取り付ける表示具を提供することにある。
【課題を解決するための手段】
【０００６】
本発明は、多数の遊技台を配列した遊技施設で前記各遊技台を使用する遊技者の座る椅子の背凭れに取り付けて案内やお知らせを表示する表示具であり、その特徴とするところは、前記椅子の背凭れの一部を装着口に差し込んで着脱自在に取り付け可能な装着部本体及び前記装着口とは反対方向に前記装着部本体から延びる支持部とを備える装着体と、案内やお知らせを表示した表示板と、この表示板を着脱自在に保持する保持体と、前記装着体と前記保持体とを連結する連結機構部とから構成され、前記連結機構部は、前記保持体を前記装着体の前記支持部に対しその延長方向に延びる軸線を回転中心として回転可能にする回転機構と、前記保持体を前記装着体の前記支持部に対して前記軸線に直交する方向に屈曲可能にする屈曲機構とを備え、前記表示具を前記椅子の前記背凭れに取り付けたとき、前記表示板の向きを前記連結機構部の前記回転機構で調整し、前記椅子に前記遊技者が座って前記遊技台を使用するときには前記表示板を前記屈曲機構で屈曲させて前記背凭れの背部に倒すか、前記背凭れから前記装着体を外して前記表示具を前記椅子から取り除くことである。
【０００７】
本発明に係る遊技台用の椅子に取り付ける表示具の一実施形態では、前記連結機構部が軸状部材を備え、前記回転機構が、前記保持体に一端を枢着した断面ほぼ円形のロッドと、前記軸状部材の一端に形成され、前記ロッドの他端を差し入れ可能な挿入孔とで構成され、前記連結機構部の前記屈曲機構が、前記ロッドの前記一端を前記保持体に枢着した枢着部で構成され、前記軸状部材の他端が、前記装着部本体から延びる前記支持部に接続されている。
【０００８】
また、本発明に係る遊技台用の椅子に取り付ける表示具の他の実施形態では、前記回転機構が、前記ロッドを前記軸状部材から引き出したとき複数の位置で停止して前記軸状部材からの該ロッドの引き出し長さを調整する調整手段をさらに備えている。
【０００９】
また、本発明に係る遊技台用の椅子に取り付ける表示具の更に他の実施形態では、前記装着体の前記装着部本体が、２つの第１挟持片をそれらの一端部側に設けた支点で前記装着口となる他端部を開閉可能に組み合わせて構成され、前記装着体の前記支持部が、前記各第１挟持片の少なくとも一方から前記他端部とは反対方向に前記一端部を越えて延びる第１柄部分で構成されている。
【００１０】
さらに、本発明に係る遊技台用の椅子に取り付ける表示具の他の実施形態では、前記表示板を保持する前記保持体が、２つの第２挟持片をそれらの一端部側に設けた支点で他端部を開閉可能に組み合わせて構成されたクリップである。
【発明の効果】
【００１１】
本発明に係る遊技台用の椅子に取り付ける表示具によれば、該表示具の装着体を下に向けて、直立させ、この装着体を各遊技台に対応する椅子の背凭れに挟んで取り付け、装着体から直立する支持部の上端部に連結された保持体に表示板を取り付けることにより、椅子の背凭れから比較的に高い位置に表示板が掲げられるので、例えば、遊技台の隣の遊技台用椅子に遊技者が座っていても遊技台群の端部側通路を歩く入場者が表示板をすぐに目にすることができる。これにより、例えば、空席であることの案内を明示した表示板を保持体に取り付ければ、空いている遊技台を探している入場者は、短時間に空いている遊技台を見つけてこの遊技台にて遊技を行うことができることから、遊技機の稼働率を向上させることができる。
【００１２】
また、遊技台用の椅子に取り付ける表示具では、表示板を取り付けた保持体が、連結機構部を構成している回転機構により回転できるので、表示板の表示面を遊技台群の端部側通路に簡単に向けることができるので、該通路を歩いている入場者の目に付きやすく、多大な神経を使わなくとも容易に表示板に書いてある案内やお知らせを目にすることができる。しかも、入場者が、この表示具を取り付けた椅子に座り、対応する遊技台で遊技をする場合でも、表示板を取り付けている保持体を連結機構部の屈曲機構により屈曲させて椅子の背凭れ背部に倒すことが簡単にできるので、この椅子に座っている遊技者の邪魔になることはない。もちろん、背凭れから装着体を外してこの表示具を椅子から取り除くことも容易である。
【００１３】
更に、本発明に係る遊技台用の椅子に取り付ける表示具によれば、連結機構部が、保持体にロッドの一端を枢着してなる屈曲機構と、このロッドの断面ほぼ円形状の他端を軸状部材の一端に形成した挿入孔に差し入れて回転可能に支持する回転機構とからなる単純な構成であるので、この表示具の製作が容易であり従って安価に提供することができる。
【００１４】
また、本発明に係る遊技台用の椅子に取り付ける表示具によれば、ロッドが、軸状部材に対して複数の位置で停止でき、これにより軸状部材からのロッドの引き出し長さを変更できるので、入場者が歩く遊技台群端部側の通路から見たとき、各遊技台に対応する椅子に取り付ける表示具についてロッドを延ばして表示板を手前側から奥方向に向かって順次に高い位置に設定することができる。その結果、遊技台群端部側の通路を歩く入場者が表示板をより見やすくなり、入場者に案内やお知らせを確実に伝達することができる。
【００１５】
また、本発明に係る遊技台用の椅子に取り付ける表示具によれば、装着体の装着部本体が、２つの第１挟持片をそれらの一端部側に設けた支点で装着口となる他端部を開閉可能に組み合わせて構成されているので、装着体を椅子の背凭れに極めて簡単に取り付け又は取り外しすることができ、表示具の椅子への取り付け作業や取り外し作業が非常に短時間でできる。更に、本発明に係る遊技台用の椅子に取り付ける表示具によれば、装着体の支持部が、各第１挟持片の少なくとも一方から他端部とは反対方向に一端部を越えて延びる第１柄部分で構成されているので、構成が単純でその製造コストも安価である。
【００１６】
また、本発明に係る遊技台用の椅子に取り付ける表示具によれば、表示板を保持する保持体が、２つの第２挟持片をそれらの一端部側に設けた支点で他端部を開閉可能に組み合わせて構成されたクリップで構成されているので、種々の表示板、言い換えれば、少なくとも保持体のクリップに挟まれる部分の厚さを異にする種々の表示板を簡単に取り付けることができる。
【発明を実施するための最良の形態】
【００１７】
以下、本発明に係る遊技台用の椅子に取り付ける表示具（以下、単に「表示具」と称する）を、その好適な実施形態について示す添付図面を参照しながら更に詳細に説明する。図１は、本発明に係る第１の実施形態における表示具１０を示す正面図、図２は、保持体１８を屈曲させて表示板１７を倒した状態で示す表示具１０の側面図、図３は、案内やお知らせを入場者に見やすい状態にした表示具１０を示す側面図、図４は、保持体１８を連結機構部２３により装着体１１に連結する状態を示す組み立て図である。
【００１８】
この表示具１０は、図７に示されるように多数の遊技台１を配列した遊技施設で各遊技台１を使用する遊技者の座る椅子２における背凭れ３に取り付けて案内やお知らせなど各種の情報を表示するものである。かかる情報としては、宣伝広告表示、故障を知らせる表示、空席であることを知らせる表示など種々のものがあるが、この実施形態に係る表示具１０では、遊技台が空席であることを遊技施設内の入場者に知らせる場合を例にしている。
【００１９】
この表示具１０は、図１及び図２から明らかなように、大別して、装着体１１と、表示板１７と、この表示板１７を着脱自在に保持する保持体１８と、装着体１１と保持体１８とを連結する連結機構部２３とから構成されている。装着体１１は、装着部本体１２及びこの装着部本体１２から延びる支持部１５とから構成され、装着部本体１２は、各遊技台１に対応する椅子２の背凭れ３における上部を着脱自在に挟む装着口１２ａを備えている。装着部本体１２は、２つの第１挟持片１３ａ，１３ｂをそれらの一端部側に設けた支点で装着口１２ａとなる他端部を開閉可能に組み合わせて構成されている。具体的には、２つの第１挟持片１３ａ，１３ｂは、図２から明らかなように側面形状がほぼ弧状を呈し、その各一端部内面を突き合わせて、その突き合わせ部１２ｂを支点とし、その状態でそれら一端部どうしを外側からコ字型の締結バネ１４で、他端部側を開閉し得るように結束して構成されている。各挟持片１３ａ，１３ｂの他端部は、一端部とは異なって所定領域の内面どうしが合わさる形状で形成され、これら相互に合わさる内面部分が装着口１２ａとして機能する。
【００２０】
装着部本体１２を構成する一方の第１挟持片１３ａにおける外面からは支持部１５が、第１挟持片１３ａ，１３ｂの他端側とは反対側の方向、即ち一端部側の方向にその一端部を越えて延びている。この支持部１５は、装着部本体１２の装着口１２ａを開閉するときの柄として作用する第１柄部分でもある。他方の第１挟持片１３ｂにおける外面からは、その第１挟持片１３ｂの一端部方向に延びる短い指掛け部１６が設けられ、この指掛け部１６と支持部１５である第１柄部分を接近するように強く摘み寄せることで、締結バネ１４の付勢力に抗して２つの第１挟持片１３ａ，１３ｂの一端部内面の突き合わせ部１２ｂを支点として他端部側、即ち装着口１２ａを開かせることができる。指掛け部１６と支持部１５との摘み寄せ力を開放すると、２つの第１挟持片１３ａ，１３ｂは、締結バネ１４の付勢力により前述の突き合わせ部１２ｂを支点として装着口１２ａが所定の力で閉じる。
【００２１】
他方、表示板１７は、例えば「空いてま〜す」などの文字をプリントした用紙をプラスチック製の透明な薄板上に置き、その上から、一面に接着剤を塗布した透明フィルムを貼り付けてラミネートすることで形成されている。この発明に係る遊技台用の椅子に取り付ける表示具では、このような表示板１７に限定されるものではなく、それ自体が自立し得る程度の剛性があれば、厚紙、プラスチック製の薄板、或いは薄い金属板などに必要かつ適当な文字や図柄をプリントしたものを使用することができる。このような表示板１７を保持する保持体１８は、装着体１１とほぼ同様な構造をしたもので、具体的には、２つの第２挟持片１９ａ，１９ｂの一端部側をコ字形の締結バネ２０で結束し、この一端側内面の突き合わせ部１８ｂを支点として他端部を開閉可能に組み合わせて構成されたクリップである。
【００２２】
保持体１８を構成する一方の第２挟持片１９ａにおける外面からは第２柄部分２１が、第２挟持片１９ａ，１９ｂの他端側とは反対側の方向、即ち一端部側の方向にその一端部を越えて延びている。この第２柄部分２１は、２つの第２挟持片１９ａ，１９ｂにおける他端部に形成される差し入れ口１８ａを開閉するときに使用するものであるが、前述した装着体１１の支持部１５に連結するための腕部としても使用する。他方、第２挟持片１９ｂにおける外面からは、第２挟持片１９ｂの一端部方向に延びる摘み部２２が設けられ、この摘み部２２と第２柄部分２１とを接近するように強く摘み寄せることで、締結バネ２０の付勢力に抗して２つの第２挟持片１９ａ，１９ｂの一端部内面の突き合わせ部１８ｂを支点として他端部側、即ち差し入れ口１８ａを開かせ、これにより表示板１７の外縁部をこの差し入れ口１８ａから差し入れる。その後、第２柄部分２１と摘み部２２との摘み寄せ力を解除すると締結バネ２０の付勢力で２つの第２挟持片１９ａ，１９ｂの差し入れ口１８ａが閉じ、その結果、表示板１７が所定の力で挟持される。
【００２３】
連結機構部２３は、軸状部材２４を備えている。図１〜図４ではこの軸状部材２４の一端２４ａが前述の保持体１８の一方の第２挟持片１９ａから延びる第２柄部分２１に連結され、他端２４ｂが装着部本体１２の第１挟持片１３ａ外面から延びる支持部１５に接続されている。ここで、「軸状部材２４の他端２４ｂが装着部本体１２の第１挟持片１３ａ外面から延びる支持部１５に接続されている」と説明したが、この実施形態に係る表示具１０では、図１〜図４に示されるようにそれらを作る際に連続した状態で形成することで構造の簡素化を図っている。図１〜図４には、便宜的に支持部１５と軸状部材２４の他端２４ｂとの境界部を一点鎖線２５で示している。
【００２４】
連結機構部２３は、回転機構２６と屈曲機構２７とを備えている。回転機構２３は、図４〜図６に示されるように保持体１８の第２柄部分２１から延びる断面円形のロッド２８を備え、このロッド２８の一端は、後述するように第２柄部分２１に枢着される枢着端２８ａとされ、また、その他端は、軸状部材２４に形成された挿入孔２９に差し入れる挿入端２８ｂとされている。すなわち、軸状部材２４には、その一端２４ａにおける端面から軸方向に、ロッド２８を差し入れる挿入孔２９が形成されている。この挿入孔２９は、ロッド２８の挿入端２８ｂにおける直径より僅かに大きな直径で形成されており、そのため、この挿入孔２９にロッド２８を差し入れたとき該ロッド２８の回転を許しながら挿入孔２９から抜けるのを防止する抜け止め手段３０が軸状部材２４に設けられている。
【００２５】
この抜け止め手段３０は、図５及び図６から明らかなように軸状部材２４の一端２４ａにおける端面に挿入孔２９の開口を囲むようにＵ字状の支持壁３１が形成されている。その際、この支持壁３１は、軸状部材２４の径方向外方に開いた開放部とは反対側の内壁面が挿入孔２９の内面に沿うように形成されている。このＵ字状の支持壁３１の開放部には、相対向する壁部分３１ａ，３１ｂに挟まれるようにＬ形の押圧部材３２が配置され、壁部分３１ａ，３１ｂ間に枢着軸３３で枢着されている。この押圧部材３２の一端部にはロッド２８の外面形状に整合する断面弧状の溝部３４ａが形成された圧着部３４が形成され、また他端部にはレバー３５が形成されている。このような構成の抜け止め手段３０によると、保持体１０の第２柄部分２１に取り付けられているロッド２８の挿入端２８ｂを軸状部材２４の一端２４ａにおける端面から挿入孔２９に挿入するときには、押圧部材３２のレバー３５を図４に仮想線（二点差線）で示されるようにほぼ水平にするか、或いは図６に示されるように真上に上げておく。
【００２６】
ロッド２８の挿入端２８ｂが軸状部材２４の挿入孔２９に挿入されると、押圧部材３２のレバー３５はそれが軸状部材２４の側面に当接するまで旋回され、これにより圧着部３４が旋回してＵ字状支持壁３１の内壁面（開放部とは反対側）に向き、断面弧状の溝部３４ａがロッド２８の周面に圧接する。その結果、ロッド２８は回転するが、押圧部材３２によりＵ字状支持壁３１の内壁面と軸状部材２４の挿入孔２９の内面に強く押しつけられているため簡単に抜け出ることはない。
【００２７】
更に、屈曲機構２７は、断面円形のロッド２８の一端をつぶして平板状にされた枢着端２８ａを、保持体１８の第２柄部分２１に枢着することで構成されている。すなわち、第２柄部分２１の端部は、二股、即ちフォーク状に形成されており、その間にロッド２８の枢着端２８ａを入れ、第２柄部分２１のフォーク状部分を横断する貫通孔と枢着端２８ａに形成された孔に枢着用ネジ３６を通すことにより枢着されている。これにより、保持体１８は、枢着用ネジ３６を中心にしてロッド２８の軸線に直交する方向に屈曲することになる。
【００２８】
次に、この表示具１０の使用方法について説明する。最初に、保持体１８に表示板１７を挟み、その第２柄部分２１に枢着端２８ａが枢着されたロッド２８の挿入端２８ｂを連結機構部２３の軸状部材２４における挿入孔２９に差し込んだ後に押圧部材３２により抜け止め状態にしておく。このように組み立てられた表示具１０は、遊技施設において、空いている遊技台１に対応する椅子２の背凭れ３に取り付けられる。この取り付け方は、既に説明されているように装着体１１の装着部本体１２における装着口１２ａを開いて椅子２の背凭れ３に挟み付ける。その後、表示板１７を保持している保持体１８をほぼ９０度回転させる。その状態が図３及び図７に示されている。これにより、表示板１７の表示面は、遊技台１の並び方向に向くので、遊技台群の端部側にレイアウトされた通路を歩く入場者が遊技台群の端部側から斜めに見ても、表示板１７の表示面が通路方向に向いているので、直ちに視認することができ、例えば、空いている遊技台１を容易に見つけることができる。
【００２９】
このようにして、入場者が、例えば、空いている遊技台１を見つけ、それに対応する椅子２に座るとき、入場者は、保持体１８を回転させて表示板１７を正面側（図１に示す向き、及び図２に仮想線で示す向き）に向くように直し、その後に連結機構部２３の屈曲機構２７を利用して、保持体１８を図２に実線で示されるように屈曲させる。これにより、表示板１７は、椅子２における背凭れ３の背部、即ち後方側に倒れるので、遊技者の邪魔になることはない。もちろん、遊技施設内を巡回している係員が、空いている遊技台１に対応する椅子２に入場者が座るのを見つけて、直ちに表示具１０を背凭れ３から取り外してもよい。
【００３０】
なお、前述した第１の実施形態では、装着体１１を構成する支持部１５、即ち第１柄部分と連結機構部２３を構成する軸状部材２４とが連続するように一体物として形成されていたが、この発明に係る遊技台用の椅子に取り付ける表示具ではこのような例に限定されるものではない。例えば、図８に示される第２の実施形態に係る表示具４０のように、装着部本体１２を構成する第１挟持片１３ａの外面から一体的に延びる支持部１５と、連結機構部２３の軸状部材２４とを別部材で形成し、両者をヒンジ機構４１で連結して軸状部材２４を第１柄部分１５に対して屈曲し得るようにしてもよい。このようにすれば椅子２の背凭れ３の傾斜角度が異なっている場合でも、第１柄部分１５に対する軸状部材２４の連結角度を自由に変更できるため、表示板１７を遊技施設の床面に対してほぼ垂直に立てて表示することができる。なお、図８に示される第２の実施形態に係る表示具４０について、図１〜図６に示される第１の実施形態の表示具１０と同一又は相当する構成部分には同一の参照符号を付けることによりそれら構成部分の詳細な説明を省略する。
【００３１】
さらに、図９及び図１０には、本発明に係る第３の実施形態における表示具５０が示されている。この表示具５０においても第１の実施形態の表示具１０と同一又は相当する構成部分には同一の参照符号を付けることによりそれら構成部分の詳細な説明を省略する。この表示具５０では、連結機構部２３における回転機構２６が、ロッド引き出し位置調整手段５１を備え、このロッド引き出し位置調整手段５１は、第１の実施形態に係る表示具１０におけるロッド２８に相当するが、このロッド２８よりも長さの長いロッド５２の挿入端５２ｂを軸状部材２４に対し複数の位置で停止して該軸状部材２４の端面からの引き出し長さを調整可能とするものである。なお、このロッド５２において、挿入端５２ｂと反対側の枢着端５２ａは、第１の実施形態における表示具１０と同様にして保持体１８の第２柄部分２１に枢着されている。
【００３２】
ロッド５２の挿入端５２ｂが差し込まれる軸状部材２４の挿入孔５３は、第１の実施形態に係る表示具１０の軸状部材２４に形成されている挿入孔２９に相当するが、その直径はロッド５２の直径より僅かに大きく、またロッド５２の長い挿入端５２ｂすべてを差し込めるように長手方向の長さがその挿入端５２ｂより長く形成されている。その場合、挿入孔５３は、軸状部材２４を通り抜けて第１柄部分１５に至るか、若しくは第１柄部分１５を貫通していてもよい。このような挿入孔５３に緊密に挿入されるロッド５２の挿入端５２ｂには、その全周を巡る溝部５４が複数形成されている。これら複数の溝部５４は、ロッド５２の長手方向に所定の間隔で形成されている。
【００３３】
他方、軸状部材２４には、その外側面から挿入孔５３の長手方向に直交する方向に孔５５が形成され、この孔５５には、ストッパー用の球体５６が入れられている。孔５５の長手方向に直交する断面の直径は、球体５６の直径より若干大きいので球体５６は孔５５を自由に移動可能であるが、この孔５５が挿入孔５３に連通する部分の開口は、その直径が球体５６の直径より若干小さいので、球体５６の一部が挿入孔５３に飛び出ることはあっても球体５６の全部が孔５５から挿入孔５３に抜け出ることはない。この孔５５に球体５６入れられた後に押圧バネ５７が入れられ、最後にネジプラグ５８が孔５５の入り口に螺着されて閉じられる。ロッド５２の挿入端５２ｂに形成されている複数の溝部５４は、その断面形状が孔５５から挿入孔５３に飛び出した球体５６の一部に整合する弧状を呈している。
【００３４】
このような構成のロッド引き出し位置調整手段５１を備える表示具５０によると、第１の実施形態に係る表示具１０で説明したようにロッド５２の挿入端５２ｂを軸状部材２４の挿入孔５３に入れるとき、球体５６は、ロッド５２の外周面に当接し、押圧バネ５７の付勢力に抗して孔５５内を軸状部材２４の径方向外方へ押し込まれる。このようにしてロッド５２は、軸状部材２４の挿入孔５３に差し込まれるが、ロッド５２の挿入端５２ｂに形成された溝部５４が孔５５の軸線を横断する位置にくると、押圧バネ５７の付勢力を常時受けている球体５６の一部が挿入孔５３に突出して溝部５４に嵌合する。これにより、球体５６とロッド５２の溝部５４とが係合するのでその位置で停止する。ロッド５２を所定の力で更に挿入孔５３に差し込むか、或いは引き抜くと、前述したように球体５６が孔５５内に押し込まれるので、ロッド５２を移動することができ、このようにして選択された溝部５４に球体５６を係合させることにより軸状部材２４からのロッド５２の引き出し長さを調整することができる。また、各溝部５４は、ロッド５２の全周に形成されているので、ロッド５２は、それが球体５６により係止されている位置で該ロッド５２の長手方向軸線を中心とした回転も可能である。
【００３５】
このようにしてロッド５２の挿入端５２ｂに形成された複数の溝部５４のうちのいずれかを選択して球体５６と係合させることにより、ロッド５２を軸状部材２４に対して所望の引き抜き位置に調整することができる。その結果、保持体１８に取り付けられた表示板１７の軸状部材２４に対する高さを簡単に変えることができる。このことは、入場者が歩く遊技台群端部側の通路から見たとき、遊技台に対応する椅子に取り付ける表示具についてロッド５２を軸状部材２４から延引き出して表示板１７を手前側から奥方向に向かって順次に高い位置に設定することができるので、遊技台群端部側の通路を歩く入場者が表示板１７をより見やすくなり、入場者に案内やお知らせを確実に伝達することができる。なお、第３の実施形態に係る表示具５０では、球体５６とロッド５２の挿入端５２ｂに形成された任意の溝部５４との係合により、ロッド５２は、その位置で保持されることになるので、抜け止め手段３０を絶対に設けなければならないものではない。しかし、遊技施設内の係員が保持体１８を手で掴んだ状態で表示具５０を持ち歩いたりするようなことも考えられるので、安全のために設けておくことが好ましい。
【００３６】
前述した各実施形態では、この表示具１０、４０，５０を椅子２の背凭れ３に取り付ける装着体１１と、表示板１７を保持する保持体１８とは、それぞれ２つの挟持片をその一端側が開閉できるように他端側を締結バネで結束して組み合わせた、所謂、クリップであったが、この発明に係る遊技台用の椅子に取り付ける表示具では、このようなクリップに限定されるものではなく、例えば、プラスチック製又は金属製の板状部材をＵ字状に曲げて差し込み溝を形成したものであってもよい。
【００３７】
以上説明したように、この発明に係る遊技台用の椅子に取り付ける表示具によれば、装着体を下に向けて該表示具を直立させ、この装着体を遊技台用の椅子の背凭れに挟んで取り付け、装着体から直立する支持部の上端部に連結された保持体に表示板を取り付けることにより、椅子の背凭れから比較的に高い位置に表示板が掲げられるので、この表示具を背凭れに取り付けた椅子の隣の遊技台用の椅子に遊技者が座っていても遊技台群の端部側通路を歩く入場者が表示板をすぐに見つけて表示面の案内やお知らせを見ることができる。これにより、表示板の表示面に、例えば、遊技台が空いていることを表示する空席表示をした場合には、空いている遊技台を探している入場者は、短時間に空いている遊技台を見つけてこの遊技台にて遊技を行うことができることから、遊技台の稼働率を向上させることができる。
【図面の簡単な説明】
【００３８】
【図１】本発明の第１の実施形態に係る遊技台用の椅子に取り付ける表示具を示す正面図である。
【図２】保持体を屈曲させて表示板を倒した状態で示す側面図である。
【図３】空いている遊技台を明示している時の表示具を示す側面図である。
【図４】保持体を連結機構部により装着体に連結する状態を示す組立図である。
【図５】連結機構部を部分的に破断して示す断面図である。
【図６】図４に示される連結機構部を、押圧部材のレバーを直立させた状態で示す端面図である。
【図７】遊技台用の椅子に取り付ける表示具を遊技施設における椅子の背凭れに取り付け、空席であることを明示した状態で遊技施設内の一部を示す斜視図である。
【図８】本発明の第２の実施形態に係る遊技台用の椅子に取り付ける表示具を示す側面図である。
【図９】本発明の第３の実施形態に係る遊技台用の椅子に取り付ける表示具を部分的に示す、図３と同様な側面図である。
【図１０】図９に示される遊技台用の椅子に取り付ける表示具の一部を破断して示す断面図である。
【符号の説明】
【００３９】
１    遊技台（機）
２    椅子
３    背凭れ
１０，４０，５０    遊技台用の椅子に取り付ける表示具
１１    装着体
１２    装着部本体
１３ａ，１３ｂ    第１挟持片
１５    支持部（第１柄部分）
１７    表示板
１８    保持体
１９ａ，１９ｂ    第２挟持片
２１    第２柄部分
２３    連結機構部
２４    軸状部材
２４ａ    軸状部材の一端
２４ｂ    軸状部材の他端
２６    回転機構
２７    屈曲機構
２８，５２    ロッド
２８ａ，５２ａ    ロッドの枢着端（一端）
２８ｂ，５２ｂ    ロッドの挿入端（他端）
３０    抜け止め手段
５１    ロッド引き出し長さ調整手段
【図１】
2009039328.tif 000003
【図２】
2009039328.tif 000004
【図３】
2009039328.tif 000005
【図４】
2009039328.tif 000006
【図５】
2009039328.tif 000007
【図６】
2009039328.tif 000008
【図７】
2009039328.tif 000009
【図８】
2009039328.tif 000010
【図９】
2009039328.tif 000011
【図１０】
2009039328.tif 000012